(57)【要約】【課題】  加熱容器内に誤って載置した背の高い被加熱物や容器が引き出し体の押し込み時に扉と調理器本体との間に挟まれるのを防止して、ユーザの怪我や、又は扉や調理器本体の損傷や故障を未然に防止することができる引き出し式加熱調理器を提供する。【解決手段】  調理器本体１又は引き出し体２には、被加熱物の許容高さの目安となる表示部４０，４１を設けてあるので、引き出し体２を収納位置又は引き出し位置に置いているときに、加熱容器５内に被加熱物を入れる前に被加熱物の高さを表示部４０，４１と比較することで、加熱容器５内に被加熱物を入れた状態で引き出し体２を安全に収納位置に移動させることが可能か否かをユーザが事前に確認することができる。加熱容器５の内面に表示部を設けることで、引き出し体２を引き出して加熱容器５内に被加熱物を入れる際に、ユーザが同様の確認をすることもできる。【選択図】      図１
2006038298.tif 000002
【特許請求の範囲】
【請求項１】
内部にマイクロ波が照射される加熱室が形成されている調理器本体、及び被加熱物を収容可能な加熱容器を備え且つ前記調理器本体に対して前記加熱容器が前記加熱室内へ収納される収納位置と前記加熱室から外部へ引き出される引き出し位置との間で移動可能に配設されている引き出し体を備え、前記調理器本体又は前記引き出し体に前記加熱容器に載置可能な前記被加熱物の高さの目安となる表示部を設けたことから成る引き出し式加熱調理器。
【請求項２】
前記調理器本体は前記加熱室が内部に形成される筐体を備えており、前記表示部は前記加熱室が開口する前記筐体の前面に設けられていることから成る請求項１に記載の引き出し式加熱調理器。
【請求項３】
前記引き出し体は前記加熱容器に取り付けられ且つ前記収納位置で前記加熱室の開口部を閉鎖可能な開閉扉を備えており、前記表示部は前記開閉扉の前面に設けられていることから成る請求項１に記載の引き出し式加熱調理器。
【請求項４】
前記加熱容器は、前記被加熱物が載置可能な底板、前記底板に繋がる左右の側板、及び前記底板と前記両側板とに繋がる後板を備えており、前記表示部は前記側板又は前記後板の高さ自体を前記被加熱物の高さの目安としていることから成る請求項１に記載の引き出し式加熱調理器。
【発明の詳細な説明】
【技術分野】
【０００１】
この発明は、加熱容器を調理器本体から前方へ引き出し可能な引き出し式加熱調理器に関する。
【背景技術】
【０００２】
従来、電子レンジ等の加熱調理器については、前面に開閉扉式のものが数多く提案されているが、そうした型式とは別型式の調理器として前面側への引き出し式の加熱調理器も提案されている。引き出し式の加熱調理器は、比較的大型の構造に適しているので、システムキッチンを構成する調理器の一つとして位置づけられている。
【０００３】
引き出し式加熱調理器の一例として、前面の開閉扉と連動する底板を機器本体に対してスライド機構によって円滑にスライド可能とし、機器本体側に設けられているモータの出力をピニオン・ラック機構等の伝達手段によって底板を開閉扉と共に開閉駆動する構造が提案されている（特許文献１参照）。扉開閉装置は、開閉扉を閉成保持するラッチ装置と、扉開閉スイッチと、この扉開閉スイッチの信号を受けて開閉扉の開閉動作を行うようにモータを駆動する制御回路とを備えており、扉開閉スイッチを押すと、自動的にラッチを解除するとともに、モータの駆動力によって開閉扉と底板が連動して開閉動作する。
【特許文献１】特開平３−４５８２０号公報（第３頁上左欄第５行〜同頁上右欄第１６行、図２〜図４）
【０００４】
引き出し式加熱調理器の別の例として、被加熱物が収納される引き出し体が調理器本体内に引き出し可能に設けられた加熱調理器であって、引き出し体が手前側に引き出されたことを検出し、調理器本体の底面に設けられている電磁石脚部を励磁して調理器を載置した金属製載置面に吸着させるものが提案されている（特許文献２参照）。多量の被加熱物が収納された引き出し体が引き出されたときに電磁石脚部を金属製載置面に吸着させることにより、引き出し体が、重量バランス不安定となって、例えば、キッチンカウンターから前方に転倒するのを防止することを図っている。
【特許文献２】特開平６−１０９２５７号公報（段落［００１０］、図１）
【０００５】
引き出し式加熱調理器の他の例として、食品載置部を移動可能な引き出し構造とした電子レンジが提案されている（特許文献３参照）。この電子レンジは、上部に開口を有する加熱容器を電子レンジの本体筐体から引き出し自由に設け、加熱容器と本体筐体側に設けられた加熱容器の開口を覆う蓋部とでマイクロ波を閉じ込め加熱室を形成している。この電子レンジでは、加熱容器の開口周縁部とそれに対向する蓋部との間にチョーク溝を設けることにより、電波漏洩の防止を図っている。
【特許文献３】特開平１１−２３７０５３号公報（段落［００３０］〜［００３５］、図１）
【０００６】
本出願人は、被加熱物が収容される引き出し体が調理器本体から外へ引き出し可能に設けた加熱調理器を提案している（特願２００４−７３８５）。この提案によれば、移動機構を構成するために高い耐熱性と難燃性とを有する効果な部品又は材料を用いる必要をなくして製造コストを低減することができるとともに、移動機構が加熱室内に照射されるマイクロ波の影響を受けることがない構造とすることで、マイクロ波による放電のおそれを解消することができる。
【０００７】
引き出し式加熱調理器においては、被加熱物の高さが高すぎると、加熱容器内に被加熱物を載置した状態で引き出し体を押し込んで扉を閉めようとする際に、扉と調理器本体との間に被加熱物が挟まるおそれがある。被加熱物は飲食料品であることが多く、通常は、お椀、皿、コップ、鍋等の何らかの容器に入れられている。背の高い容器を用いる場合に引き出し体の扉と調理器本体との間に内容物入りの容器が挟まれると、容器が破損し内容物が周囲にする飛散する可能性がある。容器の種類によっては、破損した容器は怪我の原因となり、飛散した内容物の清掃等の問題も生じる。また、扉や調理器本体の損傷や故障の原因にもなる。
【発明の開示】
【発明が解決しようとする課題】
【０００８】
そこで、調理器本体に対して加熱容器を備えた引き出し体を含む引き出し式加熱調理器においては、加熱調理器を扱うユーザに対して、所定以上の背の高い被加熱物を加熱容器内に入れた場合には、引き出し体を調理器本体に押し込むときに危険になることをユーザに予め知らせる点で解決すべき課題がある。
【０００９】
この発明の目的は、調理器本体に対して加熱容器を含む引き出し体を引き出し可能とする加熱調理器であって、加熱容器内に載置した背の高い被加熱物や容器が引き出し体の押し込み時に扉と調理器本体との間に挟まれるのを防止して、ユーザの怪我や、飛散した内容物による加熱容器内の汚れ、又は扉や調理器本体の損傷や故障を未然に防止することができる引き出し式加熱調理器を提供することである。
【課題を解決するための手段】
【００１０】
上記の課題を解決するため、この発明による引き出し式加熱調理器は、内部にマイクロ波が照射される加熱室が形成されている調理器本体、及び被加熱物を収容可能な加熱容器を備え且つ調理器本体に対して加熱容器が加熱室内へ収納される収納位置と加熱室から外部へ引き出される引き出し位置との間で移動可能に配設されている引き出し体を備え、調理器本体又は引き出し体に加熱容器に載置可能な被加熱物の高さの目安となる表示部を設けたことから成っている。
【００１１】
この引き出し式加熱調理器によれば、引き出し体が引き出し位置に置かれたときには、加熱容器は加熱室から外部へ引き出された状態にあるので、被加熱物を加熱容器内に入れることができる。引き出し体を移動させて被加熱物を収容した加熱容器が加熱室内での収納位置を占めるときには、被加熱物がマイクロ波によって加熱可能である。調理器本体又は引き出し体には、被加熱物の高さの目安となる表示部を設けてあるので、引き出し体を収納位置に置いているとき、又は引き出し体を引き出し位置に置いているときに、加熱容器内に被加熱物を入れる前に被加熱物の高さを表示部の高さと比較することで、或いは引き出し体を引き出し位置に置いて加熱容器内に被加熱物を入れる際に被加熱物の高さを表示部の高さと比較することで、加熱容器内に被加熱物を入れた状態で引き出し体を安全に収納位置に移動させることが可能か否かをユーザが事前に確認することができる。
【００１２】
この引き出し式加熱調理器において、調理器本体を加熱室が内部に形成される筐体を備えるものとして構成し、表示部を前記加熱室が開口する筐体の前面に設けることができる。この場合、ユーザが被加熱物を加熱容器内に入れる前に、被加熱物の高さを加熱室が開口する筐体の前面に設けられている表示部の高さと比較することによって、加熱容器内に被加熱物を入れた状態で引き出し体を安全に収納位置に移動させることが可能か否かを事前に確認することができる。
【００１３】
この引き出し式加熱調理器において、引き出し体を、加熱容器に取り付けられ且つ収納位置で加熱室の開口部を閉鎖可能な開閉扉を備えるものとして構成し、表示部を開閉扉の前面に設けることができる。この場合、ユーザが被加熱物を加熱容器内に入れる前に、被加熱物の高さを開閉扉の前面に設けられている表示部の高さと比較することによって、加熱容器内に被加熱物を入れた状態で引き出し体を安全に収納位置に移動させることが可能か否かを事前に確認することができる。
【００１４】
この引き出し式加熱調理器において、加熱容器を、被加熱物が載置可能な底板、底板に繋がる左右の側板、及び底板と両側板とに繋がる後板を備えるものとして構成し、表示部を、側板又は後板の高さ自体を被加熱物の高さの目安として形成することができる。この場合、ユーザが被加熱物を加熱容器内に入れる際に、被加熱物の高さを加熱容器の側板又は後板の高さ自体と比較することによって、加熱容器内に被加熱物を入れた状態で引き出し体を安全に収納位置に移動させることが可能か否かを事前に確認することができる。
【発明の効果】
【００１５】
この発明による引き出し式加熱調理器は、上記のように、加熱室が形成されている調理器本体と、被加熱物を収容可能な加熱容器を備え収納位置と引き出し位置との間で移動可能に配設されている引き出し体を備え、調理器本体又は引き出し体に加熱容器に載置可能な被加熱物の高さの目安となる表示部を設けているので、ユーザが被加熱物を加熱容器内に入れる前、又は入れる際に、被加熱物またはそれを入れた容器の高さを表示部の高さと比較することで、加熱容器内に被加熱物を入れた状態で引き出し体を安全に収納位置に移動させることができるか否かを事前に確認することが可能になる。したがって、背の高い被加熱物又は容器を誤って加熱容器内に載置し、そうした被加熱物又は容器が引き出し体の扉と調理器本体との間に挟まれる事態を防止することができ、被加熱物が引き出し体の扉と調理器本体との間に挟まれることに起因するユーザの怪我、飛散した内容物による加熱容器内の汚れ、或いは扉や調理器本体の損傷や故障を未然に防止することができる。
【発明を実施するための最良の形態】
【００１６】
以下、添付した図面に基づいて、この発明による引き出し式加熱調理器の実施例を説明する。図１はこの発明による引き出し式加熱調理器の一実施例の全体的な外観を示す斜視図、図２は図１に示す引き出し式加熱調理器の縦断面図、図３は図１に示す引き出し式加熱調理器の横断面図である。
【００１７】
図１〜図３に示すように、引き出し式加熱調理器（以下、「加熱調理器」と略す）は、調理器本体１と、調理器本体１から引き出し可能な引き出し体２とを備えている。調理器本体１の内部には、引き出し体２に載置される被加熱物６を調理するための加熱室３が形成されている。加熱室３は、前面側が開口部３ａとなっており、左右の側壁３ｂ，３ｂと、側壁３ｂ，３ｂに対してその背面（奥）側でつながる後壁３ｃと、側壁３ｂ，３ｂ及び後壁３ｃにつながる底壁３ｄ及び天壁３ｅとで囲まれることによって形成されている。
【００１８】
引き出し体２は、矢印で示す方向（図２、図３）に調理器本体１の加熱室３内から外側へ引き出すことができるように、後述するスライド機構によって調理器本体１内で移動可能に配置されている。引き出し体２は、加熱室３を開閉するための開閉扉４と、開閉扉４が取り付けられ且つ被加熱物６を載置状態に収容するための加熱容器５とを備えている。加熱容器５は、開閉扉４に取り付けられる前板５ａ、前板５ａの左右から後方に延びる左右側の側板５ｂ、５ｂと、側板５ｂ、５ｂに対してその背面（奥）側でつながる後板５ｃと、側板５ｂ、５ｂ及び後板５ｃにつながる底板５ｄとを有しており、上部に被加熱物を出し入れ可能な容器開口部５ｅが形成されている。
【００１９】
引き出し体２は、加熱容器５が加熱室３から引き出された引き出し位置と、加熱容器５を加熱室３内に収納する収納位置との間で移動可能である。加熱調理器は、引き出し体２を調理器本体１内で移動させるために、加熱室３の左右両外側に配置されたスライド機構としてのスライドレール７，７を備えている。引き出し体２が収納位置を占めるときには、開閉扉４は加熱室３の開口部３ａを閉じる位置を占める構造とされているので、加熱室３の内部空間は調理器本体１の内壁面と引き出し体２によって密閉空間になる。引き出し体２が引き出し位置を占めるときには、加熱容器５は加熱室３から十分前方に引き出されて、その容器開口部５ｅを通して被加熱物６を加熱容器５内に出し入れ可能となる。
【００２０】
各スライドレール７は、調理器本体１側に取り付けられる固定レール９と、引き出し体２側に取り付けられ且つ固定レール９に沿ってスライドする可動レール１０とを備えている。図３に示すように、各固定レール９は、調理器本体１の加熱室３を形成する側壁３ｂ，３ｂの外側に取り付けられている。また、各可動レール１０は、引き出し体２の開閉扉４の内側壁面から調理器本体１に向かって延びる状態に取り付けられたＬ字形アングル材８を介して、開閉扉４に取り付けられている。
【００２１】
調理器本体１内において、加熱室３の周りにマイクロ波発生装置１１が配設されている。マイクロ波発生装置１１は、加熱室３の後方に配置されたマイクロ波を発生するマグネトロン１２と、加熱室３の上方に配置されマグネトロン１２で発生したマイクロ波を伝搬する導波管１３とから構成されている。マグネトロン１２で発生したマイクロ波は、導波管１３を伝播し、給電口１４から加熱室３内に照射される。
【００２２】
各スライドレール７は、加熱室３の左右各側において調理器本体１に形成される通路ボックス２１に関連して設けられている。即ち、調理器本体１は、筐体２０として、加熱室３の開口部３ａの周りの前壁２０ａと、左右の側壁２０ｂ，２０ｂと、後壁２０ｃと、底壁２０ｄと、天壁２０ｅとを有している。加熱室３の側壁３ｂの外側には、調理器本体１の筐体２０の側壁２０ｂ，２０ｂと、前壁２０ａ、後壁２０ｃ、底壁２０ｄ及び天壁２０ｅの一部とで囲まれる通路ボックス２１が形成されている。各スライドレール７の固定レール７は、通路ボックス２１において加熱室３の側壁３ｂの外側に取り付けられ、可動レール１０は、Ｌ字形アングル材８と共に、前壁２０ａに形成されている挿通孔２２を通して通路ボックス２１内に出没可能である。
【００２３】
スライド機構としてのスライドレール７，７は加熱室３の両外側に設けられているので、各スライドレール７を構成するためのＬ字形アングル材８、固定レール９及び可動レール１０等として、高い耐熱性と難燃性とを備える高価な部品や材料を用いる必要がない。そのため、加熱調理器の製造コストを低減することができる。また、加熱室３の外側に設けられている各スライドレール７は、加熱室３内に照射されるマイクロ波の影響を受けることがないので、マイクロ波による放電の恐れがない。更に、引き出し体２は、スライドレール７，７を介して調理器本体１に支持されているので、前方に傾くことなく安定して加熱室３から引き出すことができる。
【００２４】
図１に示すように、加熱室３が開口する筐体２０の前面２０ａに表示部４０が描かれている。この例では、表示部４０は、許容最大高さを有するコップ状の容器に描かれている。表示部４０の高さは、加熱容器５に載置することができる被加熱物６の高さの限界に設定されている。ユーザが被加熱物を加熱容器５内に入れる前に、被加熱物の高さを表示部４０の高さと比較することによって、加熱容器５内に被加熱物を入れた状態で引き出し体２を安全に収納位置に押し込むことが可能か否かを事前に確認することができる。表示部４０に代えて、或いは表示部４０に追加する形で、引き出し体２の加熱容器５に取り付けられ収納位置で加熱室３の開口部３ａを閉鎖可能な開閉扉４の前面に表示部４１を描くことができる。この場合、ユーザが被加熱物を加熱容器５内に入れる前に、被加熱物（又はそれを入れた容器）の高さを開閉扉４の前面に描かれている表示部４１の高さと比較することによって、加熱容器５内に被加熱物を入れた状態で引き出し体２を安全に収納位置に移動させることが可能か否かを事前に確認することができる。即ち、被加熱物（又はそれを入れた容器）の高さが表示部４０又は４１の高さ以下であれば、その被加熱物（又は容器）を加熱容器５内に載置して引き出し体２を押し込んだ時に、被加熱物（又は容器）は、開閉扉４と調理器本体１の筐体２０の前壁２０ａとの間で押し潰されることはなく、安全に加熱室３内に収納することができる。
【００２５】
図４及び図５は図１に示す引き出し式加熱調理器の断面図であって、図４は横断面図（スライド機構はについては省略している）、図５は縦断面図である。図４及び図５においては、図１〜図３に示した構成要素及び部位と同じものには同じ符号を用いることにより、再度の説明を省略する。図４及び図５に示す例は、図１に示す例と同じ例であっても或いは別の例であってもよい。図４及び図５に示すように、加熱容器５の側板５ｂの内面及び後板５ｃの内面にコップ状の容器から成る表示部４２，４３が描かれている。表示部４２，４３は側板５ｂ及び後板５ｃの高さに僅かに届かない高さで描かれており、ユーザに、表示部４２，４３の高さが加熱容器５に安全に載置することができる被加熱物６の高さの限界であることを示している。それ以上の高さの被加熱物又はそれを収納したそれ以上の高さの背丈を有する容器を加熱容器５に載置すると、引き出し体２を押し込んだときに被加熱物又は容器が筐体２０の前壁２０ａと開閉扉４との間に挟まれて、破片によるユーザの怪我や、被加熱物の破損や飛散、或いは被加熱物を収容した容器の破損や損傷の危険があることをユーザに知らせている。
【００２６】
表示部４０〜４３は、必ずしも容器の形状である必要はない。高さ制限があることをユーザに知らせることができる図柄や記号、物差し、又はその旨を表示する文字であっても良いことは明らかである。例えば、加熱容器５の側板５ｂ又は後板５ｃの高さ自体を、加熱容器５に載置するのが許容される被加熱物の高さの目安とすることもできる。この場合には、側板５ｂ又は後板５ｃの上端縁部にマークを付すこと及び文字で警告を付して、許容最大高さ位置であることをユーザに強く意識付けることが好ましい。
【図面の簡単な説明】
【００２７】
【図１】この発明による加熱調理器の一実施例の全体的な外観を示す斜視図。
【図２】図１に示す加熱調理器の縦断面図。
【図３】図１に示す加熱調理器の横断面図。
【図４】この発明による引き出し式加熱調理器の横断面図。
【図５】この発明による引き出し式加熱調理器の縦断面図。
【符号の説明】
【００２８】
１  調理器本体
２  引き出し体
３  加熱室
３ａ  開口部
３ｂ，３ｂ    側壁
３ｃ  後壁
３ｄ  底壁
３ｅ  天壁
４  開閉扉
５  加熱容器
５ｂ，５ｂ  側板
５ｃ  後板
５ｄ  底板
５ｅ  容器開口部
６  被加熱物
７  スライドレール（スライド機構）
８  Ｌ字形アングル材
９  固定レール９
１０  可動レール
１１  マイクロ波発生装置
１２  マグネトロン
１３  導波管
１４  給電口
２０  筐体
２０ａ  前壁
２０ｂ，２０ｂ  側壁
２０ｃ  後壁
２０ｄ  底壁
２０ｅ  天壁
２１  通路ボックス
２２  挿通孔
２３  仕切り壁
４０，４１，４２，４３  表示部
【図１】
2006038298.tif 000003
【図２】
2006038298.tif 000004
【図３】
2006038298.tif 000005
【図４】
2006038298.tif 000006
【図５】
2006038298.tif 000007